(57)【要約】      （修正有）【課題】電子機器等の筐体に設けられた収容部へとペンを円滑に収容することができる収容構造及び該収容構造を備えた電子機器を提供する。【解決手段】収容構造１４は、電子機器１０の筐体１６に設けられた収容部１８へのペン１２の収容構造である。収容構造１４において、ペン１２は、先端に入力部３０を設けた軸部３２と、軸部３２の基端側から径方向に突出した突起部３４とを備え、収容部１８は、軸部３２が収容される挿入穴部４０と、挿入穴部４０に対するペン１２の挿入口と連通し、突起部３４が収容される切欠部４２とを備え、収容部１８を形成した筐体１６とペン１２とには、相互に反発する磁石である反発用磁石が設けられている。【選択図】図１
2015032164.tif 000002
【特許請求の範囲】
【請求項１】
筐体に設けられた収容部へのペンの収容構造であって、
前記ペンは、先端に入力部を設けた軸部と、
前記軸部の基端側から径方向に突出した突起部とを備え、
前記収容部は、前記軸部が収容される挿入穴部と、
前記挿入穴部に対する前記ペンの挿入口と連通し、前記突起部が収容される切欠部とを備え、
前記筐体及び前記ペンには、相互に反発する磁石が設けられていることを特徴とする収容構造。
【請求項２】
請求項１記載の収容構造において、
前記筐体に設けられた磁石は、前記挿入口の側部であって前記切欠部と対向する位置に配置されていることを特徴とする収容構造。
【請求項３】
請求項１又は２記載の収容構造において、
前記ペンに設けられた磁石は、前記突起部に配置されていることを特徴とする収容構造。
【請求項４】
請求項１〜３のいずれか１項に記載の収容構造において、
前記筐体の外面には、前記収容部へのペンの収容方向に対して傾いた傾斜面が形成されると共に、該傾斜面に前記収容部の挿入口が設けられており、
前記切欠部は、前記傾斜面の傾き方向における前記収容方向で先端側となる位置で前記挿入口と連通していることを特徴とする収容構造。
【請求項５】
請求項４記載の収容構造において、
前記突起部の先端面は、円弧形状であることを特徴とする収容構造。
【請求項６】
請求項１〜５のいずれか１項に記載の収容構造において、
前記筐体には、前記ペンに設けられた磁石と引き合う引寄用磁石が設けられていることを特徴とする収容構造。
【請求項７】
請求項６記載の収容構造において、
前記引寄用磁石は、前記切欠部の側部に配置されていることを特徴とする収容構造。
【請求項８】
請求項１記載の収容構造において、
前記軸部の基端面には、該軸部に対して回転自由に軸支された回転体が設けられていることを特徴とする収容構造。
【請求項９】
入力手段となるペンの収容部を筐体に設けた電子機器であって、
前記ペンは、先端に入力部を設けた軸部と、
前記軸部の基端側から径方向に突出した突起部とを備え、
前記収容部は、前記軸部が収容される挿入穴部と、
前記挿入穴部に対する前記ペンの挿入口と連通し、前記突起部が収容される切欠部とを備え、
前記筐体及び前記ペンには、相互に反発する磁石が設けられていることを特徴とする電子機器。
【発明の詳細な説明】
【技術分野】
【０００１】
本発明は、筐体に設けられた収容部へのペンの収容構造、及び該収容構造を備えた電子機器に関する。
【背景技術】
【０００２】
ノートブック型パーソナルコンピュータ（ラップトップパソコン）、タブレット型パーソナルコンピュータ（タブレット型ＰＣ）、及びスマートフォン等の携帯型の電子機器では、入力デバイスとしてペン（デジタイザペン）を用いることがある。
【０００３】
例えば、特許文献１には、ペンを入力デバイスとして備えたＰＤＡ（Ｐｅｒｓｏｎａｌ  Ｄｉｇｉｔａｌ  Ａｓｓｉｓｔａｎｔ）端末において、その筐体にペンの収容部を設けた構成が開示されている。
【先行技術文献】
【特許文献】
【０００４】
【特許文献１】特開２０１０−１４６５０８号公報
【発明の概要】
【発明が解決しようとする課題】
【０００５】
特許文献１に記載の構成も含め、従来、ペンを電子機器の筐体に収容する収容構造では、収容部からペンを引き抜く際に指を引っ掛けるための取手となる突起部を、ペンの基端側外周面に突出形成している。このため、特許文献１の構成では、ペンの軸部を挿入・収容する筒状の挿入穴部の他に、突起部を収容するためのスリット状の切欠部を設けている。
【０００６】
従って、このような切欠部を設けた収容部に突起部を有するペンを収容する際には、突起部を切欠部に合わせながら挿入する必要があり、手間がかかる。特に、ペンを収納部に収納する際、突起部が収容部の周縁部に当たってしまうと、ペンを収容部に円滑に収納することができず、使い勝手の点で問題がある。
【０００７】
本発明は、上記従来技術の課題を考慮してなされたものであり、電子機器等の筐体に設けられた収容部へとペンを円滑に収容することができる収容構造及び該収容構造を備えた電子機器を提供することを目的とする。
【課題を解決するための手段】
【０００８】
本発明に係る収容構造は、筐体に設けられた収容部へのペンの収容構造であって、前記ペンは、先端に入力部を設けた軸部と、前記軸部の基端側から径方向に突出した突起部とを備え、前記収容部は、前記軸部が収容される挿入穴部と、前記挿入穴部に対する前記ペンの挿入口と連通し、前記突起部が収容される切欠部とを備え、前記筐体及び前記ペンには、相互に反発する磁石が設けられていることを特徴とする。
【０００９】
また、本発明に係る電子機器は、入力手段となるペンの収容部を筐体に設けた電子機器であって、前記ペンは、先端に入力部を設けた軸部と、前記軸部の基端側から径方向に突出した突起部とを備え、前記収容部は、前記軸部が収容される挿入穴部と、前記挿入穴部に対する前記ペンの挿入口と連通し、前記突起部が収容される切欠部とを備え、前記筐体及び前記ペンには、相互に反発する磁石が設けられていることを特徴とする。
【００１０】
このような構成によれば、収容部を形成した筐体とペンとに、相互に反発する反発用磁石を設けている。これにより、突起部が切欠部から外れた角度位置にある状態でペンを収容部へと収容し始めた場合であっても、指先等でペンを収容部へと押込むだけで反発用磁石同士の反発作用によってペンを回転させ、突起部を切欠部へと円滑に位置合わせすることができる。このため、収容部へのペンの収容を円滑に行うことができる。
【００１１】
前記筐体に設けられた磁石は、前記挿入口の側部であって前記切欠部と対向する位置に配置されていると、ペンを収容部に収容する際、反発用磁石同士の反発力により、ペンの角度位置を突起部が切欠部側へと導かれる方向へと一層円滑に回転させることができる。
【００１２】
前記ペンに設けられた磁石は、前記突起部に配置されていると、突起部を切欠部側へとより円滑に回転させることができる。
【００１３】
前記筐体の外面には、前記収容部へのペンの収容方向に対して傾いた傾斜面が形成されると共に、該傾斜面に前記収容部の挿入口が設けられており、前記切欠部は、前記傾斜面の傾き方向における前記収容方向で先端側となる位置で前記挿入口と連通している構成とすることが好ましい。そうすると、ペンを収容部に収容する際、ペンを押込むだけで、突起部の先端面が傾斜面上を滑り、突起部を自動的に切欠部側へと回転させることができるため、ペンの収容が一層容易なものとなる。この場合、前記突起部の先端面は、円弧形状であると、突起部を一層円滑に傾斜面で滑らせることができる。
【００１４】
前記筐体には、前記ペンに設けられた磁石と引き合う引寄用磁石が設けられてもよい。そうすると、反発用磁石同士の反発作用によって回転したペンを引寄用磁石でさらに回転させることができ、突起部をより円滑に切欠部側へと導くことができる。この場合、前記引寄用磁石は、前記切欠部の側部に配置されていることが好ましい。
【００１５】
前記軸部の基端面には、該軸部に対して回転自由に軸支された回転体が設けられていてもよい。そうすると、ペンを収容部に収容する際、指先等で回転体の基端面を押圧することにより、ペンを一層円滑に回転させ、その収容動作を一層容易に行うことができるようになる。
【発明の効果】
【００１６】
本発明によれば、突起部が切欠部に一致しない角度位置にある姿勢でペンを収容部へと収容し始めた場合であっても、指先等でペンを収容部へと押込むだけで反発用磁石同士の反発作用によってペンを回転させ、突起部を切欠部へと円滑に位置合わせすることができる。このため、収容部へのペンの収容を円滑に行うことができる。
【図面の簡単な説明】
【００１７】
【図１】図１は、本発明の一実施形態に係る電子機器でのペンの収容構造を示す斜視図である。
【図２】図２は、ペンを基端側から見た斜視図である。
【図３】図３は、筐体の収容部付近を拡大した斜視図である。
【図４】図４は、図３に示す収容部にペンを押込んで収容している状態を示す斜視図である。
【図５】図５は、図４に示す状態からペンをさらに押込み、収容部にペンを完全に収容した状態での斜視図である。
【図６】図６は、筐体の収容部付近を拡大した側面図である。
【図７】図７は、収容部へのペンの収容動作を説明するために筐体の収容部付近を拡大した側面図であり、図７（Ａ）は、ペンの収容部への挿入直前での状態を示す図であり、図７（Ｂ）は、図７（Ａ）に示す状態からペンを収容部内へと押込んだ状態を示す図であり、図７（Ｃ）は、図７（Ｂ）に示す状態からペンをさらに押込み、収容部にペンを完全に収容した状態を示す図である。
【図８】図８は、収容部へのペンの収容動作を説明するために筐体の収容部付近を拡大した平面断面図であり、図８（Ａ）は、ペンの収容部への挿入直前での状態を示す図であり、図８（Ｂ）は、図８（Ａ）に示す状態からペンを収容部内へと押込んだ状態を示す図であり、図８（Ｃ）は、図８（Ｂ）に示す状態からペンをさらに押込み、収容部にペンを完全に収容した状態を示す図である。
【図９】図９は、ペンの基端側に回転体を設置した構成例を示す側面図である。
【図１０】図１０は、変形例に係る収容構造において、収容部にペンを完全に収容した状態での斜視図である。
【図１１】図１１は、図１０に示すペンを基端側から見た斜視図である。
【発明を実施するための形態】
【００１８】
以下、本発明に係る収容構造について、この構造を適用した電子機器を例示して好適な実施の形態を挙げ、添付の図面を参照しながら詳細に説明する。
【００１９】
図１は、本発明の一実施形態に係る電子機器１０でのペン１２の収容構造１４を示す斜視図である。収容構造１４は、デジタイザペンと呼ばれるペン１２を入力デバイスとして利用可能な電子機器１０に設けられ、その筐体１６の一側面（右側面１６ａ）にペン１２を収容・保持する収容部１８を備える。本実施形態では、収容構造１４をノートブック型パーソナルコンピュータ（ラップトップパソコン）である電子機器１０に適用した構成を例示するが、本発明は、ラップトップパソコン以外、例えば、タブレット型ＰＣ、携帯電話、スマートフォン、又は電子手帳等、各種携帯用情報機器等の電子機器に対して好適に適用できる。
【００２０】
以下では、電子機器１０について、図１における手前側を前側（前方）、奥側を後側（後方）と呼び、筐体１６の厚み方向を上下方向、幅方向を左右方向と呼んで説明する。
【００２１】
収容構造１４の適用対象の一例としての電子機器１０は、図１に示すように、基体となる筐体１６に対し、ヒンジ２０を介して開閉可能に連結された蓋体２２を備える。筐体１６の上面にはキーボード２４が設けられ、蓋体２２の前面（内面）には表示装置２６が設けられている。
【００２２】
次に、本実施形態に係る収容構造１４を構成するペン１２及び収容部１８について、順に説明する。
【００２３】
図２は、ペン１２を基端側から見た斜視図である。
【００２４】
図２に示すように、ペン１２は、長尺且つ細径な円柱形状であって、人手によって把持されて電子機器１０の入力デバイスとして使用されるデジタイザペンであり、その全体が樹脂材料等によって形成されている。ペン１２は、入力部３０を先端に設けた円柱形状の軸部３２と、軸部３２の基端側外周面の一部から外径方向に突出した鋸形状の突起部３４とを備える。以下では、ペン１２について、軸部３２の入力部３０側を先端側、突起部３４側を基端側と呼んで説明する。
【００２５】
入力部３０は、表示装置２６の画面上をタッチして所定の入力操作を行うためのものであり、先細りテーパ形状に形成されている。軸部３２の先端側及び基端側には、その外周面を周方向に凹ませた環状溝部３２ａ，３２ｂが形成されている。環状溝部３２ａ，３２ｂは、ペン１２が収容部１８内に挿入された際、収容部１８内に形成された図示しない弾性凸部が係合することで、ペン１２を収容部１８内で抜け止めし、さらに収容時に操作感（クリック音）を生じさせるためのものである。
【００２６】
突起部３４は、軸部３２の外周面から突出した平面視略三角形状の薄い板片であり、その外端面には、鋸状の段部３４ａが形成されている。段部３４ａは、収容部１８に収容されたペン１２を引き抜く際に指先や爪を引っ掛けるためのものである。段部３４ａの前端面となる突起部３４の先端面３４ｂは、ペン１２の先端側に向かって凸形状とされた円弧形状の曲面となっている（図５も参照）。
【００２７】
ペン１２には、突起部３４の内部に反発用磁石（磁石）３６が設けられている。反発用磁石３６は、突起部３４の突出方向で先端側、つまり軸部３２から外径方向に離間する方向で先端側（段部３４ａ側）が、反発用の極（本実施形態では、Ｎ極）となる姿勢で突起部３４内に埋設されている。
【００２８】
図３は、筐体１６の収容部１８付近を拡大した斜視図である。図４は、図３に示す収容部１８にペン１２を押込んで収容している状態を示す斜視図である。図５は、図４に示す状態からペン１２をさらに押込み、収容部１８にペン１２を完全に収容した状態での斜視図である。図６は、筐体１６の収容部１８付近を拡大した側面図である。
【００２９】
図３及び図６に示すように、収容部１８は、筐体１６の右側面１６ａの前端角部を曲面状に面取りした傾斜面（Ｒ面）１６ｂに開口形成されている（図１も参照）。収容部１８は、ペン１２の軸部３２が挿入・収容される挿入穴部４０と、傾斜面１６ｂに沿って開口した挿入穴部４０の挿入口４０ａと連通し、ペン１２の突起部３４が収容される切欠部４２とを備える。
【００３０】
挿入穴部４０は、ペン１２の軸部３２を完全に収容可能な長さを有して筐体１６の左側から右側へと延びた円筒形状の長穴であり、挿入口４０ａによって筐体１６の傾斜面１６ｂに沿って開口している。挿入口４０ａは、挿入穴部４０に対するペン１２の入口となる。
【００３１】
切欠部４２は、挿入穴部４０の挿入口４０ａから連続して傾斜面１６ｂに形成されたスリット状の開口である。図１及び図４に示すように、傾斜面１６ｂは、収容部１８へのペン１２の収容方向に対して傾いた形状であり、切欠部４２は、このような傾斜面１６ｂの傾き方向における前記収容方向で先端側となる位置で挿入口４０ａと連通し、筐体１６の前面１６ｃまで達している（図８（Ａ）も参照）。換言すれば、収容部１８は、その入口となる開口が、切欠部４２側に向かって傾斜面１６ａによって面取りされた形状となっている。
【００３２】
収容部１８では、図５に示すように、ペン１２が収容されると、軸部３２の基端面３２ｃと、突起部３４の外端面である段部３４ａとが、傾斜面１６ｂと略面一又は僅かに突出若しくは埋没した状態となり（図８（Ｃ）も参照）、収容したペンが筐体１６の外観の一部を構成するようになる。
【００３３】
このような筐体１６の収容部１８近傍では、収容部１８の側部であって切欠部４２と対向する反対側の位置には、ペン１２の反発用磁石３６と反発する反発用磁石４４が設けられている。反発用磁石４４は、収容部１８側が反発用の極（本実施形態では、Ｎ極）となる姿勢で筐体１６内に埋設されている。
【００３４】
次に、収容部１８へのペン１２の収容動作について説明する。
【００３５】
図７は、収容部１８へのペン１２の収容動作を説明するために筐体１６の収容部１８付近を拡大した側面図であり、図７（Ａ）は、ペン１２の収容部１８への挿入直前での状態を示す図であり、図７（Ｂ）は、図７（Ａ）に示す状態からペン１２を収容部１８内へと押込んだ状態を示す図であり、図７（Ｃ）は、図７（Ｂ）に示す状態からペン１２をさらに押込み、収容部１８にペン１２を完全に収容した状態を示す図である。また、図８は、収容部１８へのペン１２の収容動作を説明するために筐体１６の収容部１８付近を拡大した平面断面図であり、図８（Ａ）は、ペン１２の収容部１８への挿入直前での状態を示す図であり、図８（Ｂ）は、図８（Ａ）に示す状態からペン１２を収容部１８内へと押込んだ状態を示す図であり、図８（Ｃ）は、図８（Ｂ）に示す状態からペン１２をさらに押込み、収容部１８にペン１２を完全に収容した状態を示す図である。
【００３６】
ペン１２を収容部１８に収容する際には、図１及び図８（Ａ）に示すように、入力部３０を先頭としてペン１２を挿入口４０ａから挿入穴部４０内へと挿入する。この際、図７（Ａ）及び図８（Ａ）に示すように、突起部３４がこれを収容するための切欠部４２の反対側（切欠部４２の位置を０度位置と規定した場合に、その反対側の１８０度位置）付近にある場合、従来の収容構造では、突起部３４が挿入口４０ａの周縁部に当たってしまい、ペン１２の円滑な収容が難しいという問題があった。
【００３７】
これに対して、本実施形態に係る収容構造１４では、突起部３４がこれを収容するための切欠部４２の反対側（１８０度位置）やその付近（例えば、９０度位置から１８０度位置の間）にある場合であっても、図８（Ｂ）に示すように、例えば、指Ｆの腹をペン１２の基端面３２ｃに当ててそのまま押込めばよい。そうすると、図８（Ｂ）に示すように、互いに反発する極（本実施形態では、Ｎ極）が向かい合うように設置されたペン１２の反発用磁石３６と収容部１８の反発用磁石４４とが所定距離まで近接した際、互いに反発力を発生する。これにより、ペン１２が指Ｆからの押圧力を受けて前進しつつ、反発用磁石３６，４４間の反発力により、軸部３２の軸心を回転中心として回転する。そのため、図７（Ｂ）に示すように、ペン１２は、例えば、突起部３４が切欠部４２に対して直交する位置（９０度位置）程度まで回転する。
【００３８】
そこで、指Ｆでペン１２をさらに押込むと、ペン１２は、今度は、ペン１２が指Ｆからの押圧力を受けて前進しつつ、突起部３４の円弧形状の先端面３４ｂが挿入口４０ａの周縁部を滑ってさらに回転する。最終的には、図７（Ｃ）及び図８（Ｃ）に示すように、突起部３４が切欠部４２に収容され、軸部３２も挿入穴部４０に収容される。これにより、ペン１２の収容部１８への収容動作が完了する（図５も参照）。
【００３９】
ペン１２を収容部１８に収容する際、突起部３４が切欠部４２と直交する位置（９０度位置）付近にある場合（例えば、図７（Ｂ）の位置付近にある場合）には、上記のように、指Ｆでペン１２を押込むだけでよい。これにより、ペン１２は、指Ｆからの押圧力を受けて前進しつつ、突起部３４の先端面３４ｂが挿入口４０ａの周縁部を滑って回転するため、収容部１８へと円滑に収容される（図７（Ｂ）、図７（Ｃ）、図８（Ｂ）及び図８（Ｃ）参照）。なお、ペン１２を収容部１８に収容する際、突起部３４が切欠部４２と一致又は略一致する位置（０度位置）付近にある場合（例えば、図７（Ｃ）の位置付近にある場合）には、指Ｆでペン１２を押込むだけで収容部１８へと円滑に収容することができる（図７（Ｃ）及び図８（Ｃ）参照）。
【００４０】
収容部１８に収容したペン１２を該収容部１８から引き抜く際には、図５及び図８（Ｃ）に示すように、切欠部４２から露出している突起部３４の段部３４ａを指先又は爪で引っ掛け、収容部１８からペン１２を引き抜けばよい。
【００４１】
上記のように、ペン１２を収容部１８に収容する際に、突起部３４が切欠部４２と０度位置以外の角度位置にある場合には、突起部３４を切欠部４２に一致させるため、ペン１２に回転動作を行わせる必要がある。そこで、図９に示すように、ペン１２の基端面３２ｃの基端側に回転体５０を設置してもよい。回転体５０は、回転軸５０ａによって軸部３２と同軸で該軸部３２に対して回転自由に軸支されている。この回転体５０を設けることにより、ペン１２を収容部１８に収容する際、指Ｆで回転体５０の基端面５０ｂを押圧すると、回転体５０に対して軸部３２が回転するため、ペン１２の収容動作を一層容易に行うことができるようになる。回転体５０の基端面５０ｂには、指Ｆの滑り止めの形状等を設けてもよい。
【００４２】
以上のように、本実施形態に係る収容構造１４及びこの収容構造１４を設けた電子機器１０によれば、ペン１２は、先端に入力部３０を設けた軸部３２と、軸部３２の基端側から径方向に突出した突起部３４とを備え、収容部１８は、軸部３２が収容される挿入穴部４０と、挿入穴部４０に対するペン１２の挿入口４０ａと連通し、突起部３４が収容される切欠部４２とを備え、収容部１８を形成した筐体１６とペン１２とには、相互に反発する磁石（反発用磁石３６，４４）が設けられている。
【００４３】
このように、収容構造１４では、収容部１８を形成した筐体１６とペン１２とに、相互に反発する反発用磁石３６，４４を設けている。これにより、突起部３４が切欠部４２から外れた角度位置（例えば、１８０度位置）にある場合であっても、指Ｆでペン１２を収容部１８へと押込むだけで反発用磁石３６，４４の反発作用によってペン１２を回転させ、突起部３４を切欠部４２へと円滑に位置合わせすることができる。このため、収容部１８へのペン１２の収容を円滑に行うことができる。
【００４４】
収容構造１４では、筐体１６（収容部１８）に設けられた反発用磁石４４は、挿入口４０ａの側部であって切欠部４２と対向する位置（１８０度位置）に配置している。このため、ペン１２を収容部１８に収容する際、反発用磁石３６，４４の反発力により、ペン１２の角度位置を突起部３４が切欠部４２側へと導かれる方向へと一層円滑に回転させることができる。さらに、ペン１２に設けられた反発用磁石３６を突起部３４に配置しておくと、より円滑に突起部３４を切欠部４２側へと回転させることができる。
【００４５】
反発用磁石３６，４４は、収容部１８に収容するペン１２を円滑に回転させることができれば、他の位置に設けても勿論よい。例えば、図８（Ｂ）中に２点鎖線で示すように、ペン１２側の反発用磁石３６を軸部３２の途中に配置し、筐体１６側の反発用磁石４４を挿入穴部４０の側部に配置してもよい。
【００４６】
収容構造１４では、筐体１６の外面には、収容部１８へのペン１２の収容方向（左右方向）に対して傾いた傾斜面１６ｂが形成されると共に、該傾斜面１６ｂに収容部１８の挿入口４０ａが設けられている。さらに、切欠部４２は、傾斜面１６ｂの傾き方向における前記収容方向で先端側となる位置で挿入口４０ａと連通している（図３参照）。より具体的には、収容構造１４では、ペン１２を右側面１６ａ側から筐体１６の左側面側に向かってペン１２を挿入する構造の収容部１８を有すると共に、筐体１６の右側面１６ａと前面１６ｃとの間の面取り形状部分である傾斜面１６ｂに挿入口４０ａを形成し、傾斜面１６ｂの前面１６ａ側に切欠部４２を設けている。
【００４７】
このため、ペン１２を収容部１８に収容する際、ペン１２を押込むだけで、突起部３４の円弧状の先端面３４ｂが傾斜面１６ｂ上を滑り、突起部３４を自動的に切欠部４２側へと回転させることができるため、ペン１２の収容が一層容易なものとなっている。
【００４８】
このような突起部３４と傾斜面１６ｂとの摺接作用によるペン１２の回転をより円滑なものとするために、ペン１２の反発用磁石３６と引き合う引寄用磁石４６ａ，４６ｂを、図４中に２点鎖線で示すように切欠部４２の両側部となる位置に設けてもよい。切欠部４２の上部に設けられた引寄用磁石４６ａは、切欠部４２側と反対側（筐体１６の上面１６ｄ側）が、引寄用の極（本実施形態では、Ｓ極）となる姿勢で筐体１６内に埋設されている。切欠部４２の下部に設けられた引寄用磁石４６ｂは、切欠部４２側と反対側（筐体１６の下面側）が、引寄用の極（本実施形態では、Ｓ極）となる姿勢で筐体１６内に埋設されている。そうすると、突起部３４を挿入口４０ａの周縁部（傾斜面１６ｂ）を滑らせてペン１２を回転させる際、ペン１２側の反発用磁石３６が筐体１６側の引寄用磁石４６ａ（又は４６ｂ）に引寄せられることで、ペン１２がさらに円滑に回転する。引寄用磁石４６ａ，４６ｂは、両方ではなく一方のみを設けてもよい。
【００４９】
このように、収容構造１４では、傾斜面１６ｂによる滑り作用により、９０度位置付近から先は、ペン１２を円滑に回転させることができるが、ペン１２を収容するための収容部１８は、筐体１６の傾斜面１６ｂ以外の面、例えば、右側面１６ａに設けてもよい。
【００５０】
例えば、図１０に示すように、平坦面である筐体１６の右側面１６ａに設けられた収容部６０は、挿入口４０ａが右側面１６ａに開口し、この挿入口４０ａから連通する切欠部４２が筐体１６の上面１６ｄに開口し、収容構造６１を構成している。このような収容部６０に収容されるペン６２は、図１１に示すように、軸部３２の基端側外周面の一部から外径方向に突出した板片状の突起部６４を備える。突起部６４の外面に指先や爪を引っ掛けるための段部６４ａが形成され、その先端面６４ｂが円弧形状となっている。
【００５１】
従って、このような収容構造６１によれば、上記収容構造１４のように傾斜面１６ｂがないため、９０度位置付近から０度位置付近までは、人手によってペン６２を回転させる必要が生じることになる。しかしながら、１８０度位置付近から９０度位置付近までは、突起部６４の反発用磁石３６と筐体１６の反発用磁石４４との反発力によりペン６２を円滑に回転させることができる。収容構造６１は、筐体１６に傾斜面１６ｂがない場合等、電子機器１０の仕様等に応じて収容構造１４と使い分けることが好ましい。収納構造６１についても、図１０中に２点鎖線で示すように、切欠部４２の側方に引寄用磁石４６ａ，４６ｂを設け、９０度位置付近から０度位置付近までのペン６２の回転をこれら引寄用磁石４６ａ，４６ｂによって補助可能な構成としてもよい。
【００５２】
なお、本発明は、上記した実施形態に限定されるものではなく、本発明の主旨を逸脱しない範囲で自由に変更できることは勿論である。
【符号の説明】
【００５３】
１０  電子機器
１２，６２  ペン
１４，６１  収容構造
１６  筐体
１６ａ  右側面
１６ｂ  傾斜面
１６ｃ  前面
１８，６０  収容部
３０  入力部
３２  軸部
３２ｃ，５０ｂ  基端面
３４，６４  突起部
３４ａ，６４ａ  段部
３４ｂ，６４ｂ  先端面
３６，４４  反発用磁石
４０  挿入穴部
４０ａ  挿入口
４２  切欠部
４６ａ，４６ｂ  引寄用磁石
５０  回転体
【図１】
2015032164.tif 000003
【図２】
2015032164.tif 000004
【図３】
2015032164.tif 000005
【図４】
2015032164.tif 000006
【図５】
2015032164.tif 000007
【図６】
2015032164.tif 000008
【図７】
2015032164.tif 000009
【図８】
2015032164.tif 000010
【図９】
2015032164.tif 000011
【図１０】
2015032164.tif 000012
【図１１】
2015032164.tif 000013